(57)【要約】【課題】簡易な配線作業がなされるだけで電線を正規の経路に保持することができる電線保護具及びその電線保護具を備えたワイヤハーネスを提供すること。【解決手段】電線保護具８は、電線９の一部を収容する筐体本体１０と、筐体本体１０の開口を塞ぐ蓋２０とを備える。本体筐体１０の内部には、電線９を挟み込む二股の把持部３２が形成された電線保持部３０が固定されている。さらに、二股の把持部３２の内側の電線９に接触する部分にゴム部材３３が設けられている。【選択図】図１
2012090488.tif 000002
【特許請求の範囲】
【請求項１】
電線の一部を収容する筐体本体と、
前記筐体本体の開口を塞ぐ蓋と、
前記筐体本体の内部に固定され、前記電線を挟み込む二股の把持部が形成された電線保持部と、を備えることを特徴とする電線保護具。
【請求項２】
前記二股の把持部の内側の前記電線に接触する部分にゴム部材が設けられている、請求項１に記載の電線保護具。
【請求項３】
電線と該電線の一部を覆う電線保護具とを備えたワイヤハーネスであって、
前記電線保護具は、
前記電線の一部を収容した筐体本体と、
前記筐体本体の開口を塞ぐ蓋と、
前記筐体本体の内部に固定され、前記電線をその両側から挟み込んで保持する二股の把持部を有する電線保持部と、を備えることを特徴とするワイヤハーネス。
【発明の詳細な説明】
【技術分野】
【０００１】
本発明は、電線の一部を収容する筐体本体及びその筐体本体の開口を塞ぐ蓋を備える電線保護具及びそれを備えたワイヤハーネスに関する。
【背景技術】
【０００２】
自動車に代表される車両に搭載されるワイヤハーネスは、周囲の部材との接触及び周囲から受ける熱などによって電線が破損しないことが要求される。そこで、車載用のワイヤハーネスには、電線の周囲を覆う電線保護具が設けられることがある。
【０００３】
また、ワイヤハーネスにおいて、電線保護具は、電線を保護する目的に加え、電線の経路規制の目的で設けられることもある。電線の経路規制とは、電線を方向転換、分岐又は合流させるなど、電線の経路を予め定められた経路に沿わせることである。そのような目的で採用される電線保護具は、電線の一部を収容する筐体本体と、その筐体本体の開口を塞ぐ蓋とを備える。
【０００４】
例えば、特許文献１には、筐体本体の内部に電線の位置決めのためのボスが形成された電線保護具が示されている。特許文献１に示される電線保護具を含む従来の電線保護具は、筐体本体内において電線の経路を規制する機能を備える。
【先行技術文献】
【特許文献】
【０００５】
【特許文献１】特開２００６−３１１７８５号公報
【発明の概要】
【発明が解決しようとする課題】
【０００６】
しかしながら、従来の電線保護具は、電線に対して応力が加わった場合に、電線を正規の経路に保持する機能を備えていない。そのため、従来の電線保護具は、筐体本体に収容された電線に応力が加わった場合に、複数の電線の位置が正規の位置からずれてしまうという問題点を有している。また、従来の電線保護具において、電線の位置ずれを防止するためには、複数の電線を正規の位置関係に保持するためのテーピング作業が必要となる。そのようなテーピング作業は、煩雑であり、また、熟練を要する。
【０００７】
本発明は、簡易な配線作業がなされるだけで電線を正規の経路に保持することができる電線保護具及びその電線保護具を備えたワイヤハーネスを提供することを目的とする。
【課題を解決するための手段】
【０００８】
本発明に係る電線保護具は、以下に示す各構成要素を備える。
（１）第１の構成要素は、電線の一部を収容する筐体本体である。
（２）第２の構成要素は、筐体本体の開口を塞ぐ蓋である。
（３）第３の構成要素は、筐体本体の内部に固定され、電線を挟み込む二股の把持部が形成された電線保持部である。
【０００９】
また、本発明に係る電線保持具において、二股の把持部の内側の電線に接触する部分にゴム部材が設けられていれば好適である。
【００１０】
また、本発明は、電線と、以上に示した本発明に係る電線保護具とを備えたワイヤハーネスの発明として捉えられてもよい。本発明に係るワイヤハーネスにおいて、電線保持具における二股の把持部は、電線をその両側から挟み込んで保持する。
【発明の効果】
【００１１】
本発明において、二股の把持部は、筐体本体内における電線の正規の経路上に配置されている。従って、本発明に係る電線保護具は、二股の把持部に電線を挿入するという簡易な作業がなされるだけで、二股の把持部において電線を正規の経路に保持することができる。即ち、本発明によれば、電線を正規の位置に保持するためのテーピング作業は不要である。
【００１２】
また、二股の把持部の内側の電線に接触する部分にゴム部材が設けられていれば、そのゴム部材が電線の滑り止めとなり、二股の把持部による電線の保持力がより強固となる。さらに、弾性変形可能なゴム部材が設けられた二股の把持部は、外径の異なる複数種類の電線を保持できるため、電線の種類に対する適応性が高い。
【図面の簡単な説明】
【００１３】
【図１】本発明の実施形態に係る電線保護具８を備えたワイヤハーネス１の主要部の分解斜視図である。
【図２】電線保護具８に形成された電線保持部３０の斜視図である。
【図３】ワイヤハーネス１全体の概略平面図である。
【発明を実施するための形態】
【００１４】
以下、添付の図面を参照しながら、本発明の実施形態について説明する。以下の実施形態は、本発明を具体化した一例であり、本発明の技術的範囲を限定する事例ではない。
【００１５】
＜実施形態＞
以下、図１から図３を参照しつつ、本発明の実施形態に係る電線保護具８及びそれを備えたワイヤハーネス１の構成について説明する。図１に示されるように、ワイヤハーネス１は、複数の電線９と、それら電線９の一部を覆う電線保護具８とを備える。また、電線保護具８は、複数の電線９各々の一部を収容した筐体本体１０と、筐体本体１０の開口を塞ぐ蓋２０とを備える。
【００１６】
図３に示されるように、電線９の末端にはコネクタ６が設けられている。ワイヤハーネス１は、例えば、自動車などの車両に搭載され、コネクタ６を通じて、インバータ回路などの電力供給源と電装機器との間、又は複数の電装機器相互間を電気的に接続する。
【００１７】
図１に示されるように、筐体本体１０は、一の方向に内部へのアクセス用の開口が形成され、複数の電線９各々の一部を収容する容器である。図１に示される例では、筐体本体１０の形状は直方体であるが、筐体本体１０は、他の形状で形成されてもよい。
【００１８】
筐体本体１０の側壁部には、外側から内側へ渡される電線９が通る隙間を形成する欠け部である電線の導入口１１と、内側から外側へ渡される電線９が通る隙間を形成する欠け部である電線の導出口１２とが形成されている。
【００１９】
蓋２０は、筐体本体１０の開口を塞ぐ板状の部材である。図１に示される例では、蓋２０は、筐体本体１０の開口を塞ぐ状態で、ネジ７によって筐体本体１０に取り付けられる。そのため、蓋２０には、ネジ７が貫通する貫通孔２１が形成され、筐体本体１０には、ネジ７が装着されるネジ穴１３が形成されている。
【００２０】
なお、蓋２０が、ネジ７を用いないロック機構により、筐体本体１０に保持されることも考えられる。ロック機構は、例えば、筐体本体１０及び蓋２０の一方に設けられた突起部と、他方に設けられて突起部が嵌め入れられる孔が形成された受け部と、からなる機構であることが考えられる。
【００２１】
図１に示されるように、筐体本体１０の内部には、底板に対して起立した状態で固定された電線保持部３０が形成されている。図１に示される例では、複数の電線保持部３０が、筐体本体１０の内部に設けられている。また、図１及び図２に示されるように、電線保持部３０は、台座部３１と、二股の把持部３２とが形成された部分である。
【００２２】
台座部３１は、筐体本体１０の内部の底板に起立して形成され、二股の把持部３２を支持する部分である。
【００２３】
二股の把持部３２は、筐体本体１０内において電線９が通される隙間３４の両側へ二股に伸びて形成された部分である。二股の把持部３２は、隙間３４に挿入された電線９をその両側から挟み込んで保持する。図１及び図２に示される例では、二股の把持部３２は、電線９が通される隙間３４の両側において平行に伸びて形成されている。
【００２４】
また、二股の把持部３２の内側の電線９に接触する部分、即ち、二股の把持部３２の内側の隙間３４の両側の輪郭を形成する部分には、ゴム部材３３が設けられている。
【００２５】
電線保護具８において、筐体本体１０、蓋２０及び電線保持部３０におけるゴム部材３３を除く部分は、例えば、ポリアミド（ＰＡ）、ポリプロピレン（ＰＰ）、ポリブチレンテレフタレート（ＰＢＴ）又はＡＢＳ樹脂などの樹脂からなる部材である。また、筐体本体１０及び電線保持部３０におけるゴム部材３３を除く部分は、一体成形部材である。その場合、ゴム部材３３は、筐体本体１０とともに一体成形された二股の把持部３２の樹脂の部分に対し、二色成形によって形成される。
【００２６】
電線保護具８において、二股の把持部３２は、筐体本体１０内における電線９の正規の経路上に配置されている。例えば、二股の把持部３２は、図１に示されるように、複数の電線９が分岐する位置及び合流する位置などに配置されている。
【００２７】
従って、電線保護具８は、二股の把持部３２に電線９を挿入するという簡易な作業がなされるだけで、二股の把持部３２において電線９を正規の経路に保持することができる。従って、電線保護具８が採用されることにより、筐体本体１０内で電線９を正規の位置に保持するためのテーピング作業は不要である。
【００２８】
また、電線保護具８において、二股の把持部３２の内側のゴム部材３３が、電線９の滑り止めとなるため、二股の把持部３２による電線９の保持力は強固である。さらに、弾性変形可能なゴム部材３３が設けられた二股の把持部３２は、外径の異なる複数種類の電線９を保持できるため、電線９の種類に対する適応性が高い。
【００２９】
以上に示した実施形態では、二股の把持部３２の内側にゴム部材３３が設けられているが、本発明において、ゴム部材３３は、必須の構成要素ではない。また、ゴム部材３３のない電線保護具において、例えば、二股の把持部３２の内側の面に、電線９に対する摩擦抵抗を高めるための凹凸が形成された構成が採用されることも考えられる。また、二股の把持部３２の内側の面に、樹脂よりも電線９に対する摩擦係数の高いシートが貼付された構成が採用されることも考えられる。
【符号の説明】
【００３０】
１  ワイヤハーネス
６  コネクタ
７  ネジ
８  電線保護具
９  電線
１０  筐体本体
１１  導入口
１２  導出口
１３  ネジ穴
２０  蓋
２１  貫通孔
３０  電線保持部
３１  台座部
３２  把持部
３３  ゴム部材
３４  隙間
【図１】
2012090488.tif 000003
【図２】
2012090488.tif 000004
【図３】
2012090488.tif 000005